(57)【要約】【課題】狭持物の厚みに合わせて立体的に起伏して狭持する金属線材からなるＭ型ゼムクリップの提供を図る。【解決手段】弾性を有する１本の金属線材で略Ｍ字型に折曲して形成されるＭ型ゼムクリップであって、前記Ｍ型ゼムクリップは、中央部に位置する上面狭持部と、該上面狭持部より折り返し部を外側に延設し、さらに内側方向に終端部を設けて両側に位置する背面狭持部と、を略Ｖ字状に斜行する起伏傾斜で連結すると共に、折曲して平面を形成する前記上面狭持部と前記背面狭持部と前記起伏傾斜部と、を同一平面上に形成して成り、使用するにあたっては、前記起伏傾斜部が狭持される狭持物の厚みに合わせて立体的に起伏して狭持する構成を採用した。【選択図】図１
2011152805.tif 000002
【特許請求の範囲】
【請求項１】
弾性を有する１本の金属線材で略Ｍ字型に折曲して形成されるＭ型ゼムクリップであって、
前記Ｍ型ゼムクリップは、
中央部に位置する上面狭持部と、
該上面狭持部より折り返し部を外側に延設し、さらに内側方向に終端部を設けて両側に位置する背面狭持部と、を
略Ｖ字状に斜行する起伏傾斜部で連結すると共に、
折曲して平面を形成する前記上面狭持部と前記背面狭持部と前記起伏傾斜部と、を
同一平面上に形成して成り、
使用するにあたっては、前記起伏傾斜部が狭持される狭持物の厚みに合わせて立体的に起伏して狭持することを特徴とするＭ型ゼムクリップ。
【発明の詳細な説明】
【技術分野】
【０００１】
本発明は、狭持物の厚みに合わせて立体的に起伏して狭持する金属線材からなるゼムクリップに関する。
【背景技術】
【０００２】
従来より、複数の狭持物を簡易的に挟み込む方法は、金属針や穴の紙片を用いたホッチキスや、金属製のバネ板クリップに折り畳み用のハンドルを設けたターンクリップや、替玉クリップを連続的に押し出すデュアルクリップや、バネ式の把持部が大形の目玉クリップならびに山形クリップや、樹脂製ならびに針金製の紙クリップなどによる綴じ込み方法が採られている。
【０００３】
しかしながら、上記のホッチキスによる方法においては、金属針または穴の紙片によって簡単に綴じ込むことができる反面、狭持物に針穴や穴の紙片の跡がついたりするもので、特に金属針の場合は、廃棄時に綴じられた状態でシュレッターにかけることができないため、綴じている金属針を一旦取り除き、再びシュレッターにかけるなどの二重の手間を必要とし、さらにそのまま廃棄した場合は、環境問題や再生紙処理費用のコスト高を招くものであった。
【０００４】
また、ダブルクリップとも呼ばれるターンクリップによる方法においては、折り畳み用のハンドルが付いている金属製のバネ板クリップで狭持物を挟み込むもので、狭持時はハンドルを伸ばしてクリップを開閉し、収納時はハンドルを折り畳んで狭持物を挟み込んで収納するものではあるが、ターンクリップ自体の厚みがあるためファイルなどに綴じ込む場合は、狭持物が嵩張る状態で綴じ込まれるものであった。
【０００５】
また、替玉クリップを連続的に押し出すデュアルクリップによる方法においては、専用のクリップ器で替玉クリップを押し出して狭持物を挟み込むもので、替玉クリップ自体は差程厚みがあるものではないが、使用時においては常に専用のクリップ器を必要とするため汎用性ならびに常用性に欠ける問題があった。
【０００６】
また、バネ式の把持部が大形の目玉クリップならびに山形クリップによる方法においては、100〜数百枚単位の狭持物を挟み込むことができるが、バネ式の把持部が大形であるためファイルやバインダーなどには狭持した状態で綴じ込むことができないものであった。
【０００７】
一方、紙クリップによる挟みこむ方法は、樹脂製のゼムクリップならびに針金製のゼムクリップが広く普及している。
【０００８】
その樹脂製のゼムクリップにおいては、使い回しができる、狭持力が強い、カラフルである、狭持形状が多彩などの長所はあるが、商品単価が高いことや、強度を維持するための一定の板厚を必要とするもので、書類をやり取りする状態で使用する場合には問題ないが、ファイルなどに綴じ込む場合には、樹脂製のゼムクリップ自体が綴じ込まれる狭持物より嵩張りがちになる欠点があった。
【０００９】
また、針金製のゼムクリップにおいては、使い回しができる、簡易構造である、嵩張らない、商品単価が廉価であるなどの長所があるが、狭持力が弱い、形状が単純である、大量枚数の狭持物を狭持することができないことや、図５に示すようなゼムクリップ自体が狭持した状態で回ってしまう、紙ズレ現象を起こすなどの問題点があるものであった。
【００１０】
一方、これまでに改善されてきた針金製のゼムクリップとしては、例えば、「クリップ」（特許文献１）が提案されているが、該提案は、クリップの先端部に位置する斜方直線部を上方に折り曲げてクリップの差し込みを容易にしたものであるが、図５に示すようなクリップ自体が狭持した状態で回転したり、厚みのある狭持物を狭持した場合にクリップ自体が変形して紙ズレ現象を起こしたりする問題を解決するものではなかった。
【００１１】
従来より上記の問題点を解決しようとする針金製のゼムクリップが提案されている。例えば、「線状材製の紙クリップ」（特許文献２）が提案されているが、該提案は、左右の側椀部の第三の折曲点を書類の端部に引っ掛けて中央部の折曲点を書類に差し込む際、左右の側椀部が別個に作動するため左右均等に力を加えなければならず、さらに左右の側椀部の第２，第３の辺部分と中央部の直線部分の４本の線材を反らして狭持物に差し込なければならないことから、大きな指先の力を必要とする問題点があるもので、またさらに左右の側椀部の第２，第３の辺部分と中央部の直線部分が隣接して隙間がないため、複数枚の厚みのある狭持物を狭持することができない構造であった。
【００１２】
また、「クリップ」（特許文献３）は、狭持部１と狭持部２が形成する平面状の拡幅部で狭持されるものであるが、該狭持部１と狭持部２が同一平面上にないため狭持力が弱く、紙葉を挟み込んで保存する場合は、折曲金属線材同士が重なってその分嵩張る欠点や両端の直線部が開放されているため、クリップ自体の保管時にクリップ同士が絡まる問題があった。
【００１３】
また、「コイルクリップ」（特許文献４）は、コイル部分が嵩張る要因となるためファイルなどに綴じ込む場合は、狭持物が嵩張る状態で綴じ込まれる欠点があるものであり、さらに差し込み時に中央部の狭持部と左右の狭持部の隙間を書類の端部に引っ掛けて綴じ込むことができないものであった。
【００１４】
また、「クリップ」（特許文献５）は、折曲によって幅広に形成された二つの狭持面で安定的に狭持物を綴じ込もうとするものではあるが、全体形状が幅広に形成された二つの狭持面で狭持物を綴じ込む場合は、ある程度の枚数や厚みがある狭持物を狭持対象とすることが前提とされる（2、3枚のぺらぺらのものでは効果がない）ものであるにも関わらず、折り曲げ部と三連続Ｕ型状紙枠狭持部がＬ型状紙枠狭持部の内側に入り込む構造は、枚数（厚み）が少ない狭持物を対象とする構造であることから、目的と構造が一致する提案ではなかった。
【００１５】
また、「クリップ」（特許文献６）の図６に示される実施形態においては、表狭持部と裏狭持部の当接部が中央位置の一箇所で連結されているため、挟まれた狭持物が、該当接部を中心に回転する可能性があるものであった。
【００１６】
また、「ハート型ゼムクリップ」（特許文献７）においては、線材の末端部が重なってハート型が形成される平面と同一平面上にないため、狭持物を挟み込んで保存する場合は、線材同士が重なってゼムクリップ自体の厚みが増すことによって全体的に嵩張る欠点があるものであった。
【００１７】
本願発明者は、上記における従来の針金製のゼムクリップの問題点を解決するために、下記に示すＭ型ゼムクリップ構造に着眼した。
（1）１本の金属線材を使用した引廻し構造。
（2）金属線材の末端部が内側に位置する絡まり防止構造。
（3）上面狭持部と背面狭持部と起伏傾斜部で構成される安定挟持構造。
（4）上面狭持部と背面狭持部と起伏傾斜部を同一平面上とした少量枚数挟持構造。
（5）起伏傾斜部が立体的に起伏する大量枚数挟持構造。
（6）上面狭持部の外郭形状を自由形状とする面白構造。
【００１８】
本願発明者は、上記の本発明におけるＭ型ゼムクリップ構造を備えることによって、従来の樹脂製ならびに針金製のゼムクリップの欠点を解決し、さらに両方の長所を備えた金属線材からなるＭ型ゼムクリップを開発し、本出願における「Ｍ型ゼムクリップ」の提案に至るものである。
【先行技術文献】
【特許文献】
【００１９】
【特許文献１】特許第３７７９９８３号公報
【特許文献２】特開２００４-９８６３９号公報
【特許文献３】実開平７-３３６６９号公報
【特許文献４】実用新案登録第３０４９８４８号公報
【特許文献５】特開２００１-１５８１８８号公報
【特許文献６】実用新案登録第２５８３２３６号公報
【特許文献７】実用新案登録第３１５４５１２号公報
【発明の概要】
【発明が解決しようとする課題】
【００２０】
本発明は上記問題点に鑑み、狭持物の厚みに合わせて立体的に起伏して狭持する金属線材からなるＭ型ゼムクリップの提供を図る。
【課題を解決するための手段】
【００２１】
本発明は上記目的を達成するためになされるもので、弾性を有する１本の金属線材で略Ｍ字型に折曲して形成されるＭ型ゼムクリップであって、前記Ｍ型ゼムクリップは、中央部に位置する上面狭持部と、該上面狭持部より折り返し部を外側に延設し、さらに内側方向に終端部を設けて両側に位置する背面狭持部と、を略Ｖ字状に斜行する起伏傾斜部で連結すると共に、折曲して平面を形成する前記上面狭持部と前記背面狭持部と前記起伏傾斜部と、を同一平面上に形成して成り、使用するにあたっては、前記起伏傾斜部が狭持される狭持物の厚みに合わせて立体的に起伏して狭持する構成を採用した。
【発明の効果】
【００２２】
本発明に係るＭ型ゼムクリップによれば、１本の金属線材で成型されることにより、材料コストならびに加工コストが廉価である、材料取りの無駄がない、差し込み端面が丸みを帯びている、形状が極めて簡易である、軽量である、何度でも繰り返して使用できるなどの多くの優れた効果を奏する。
【００２３】
また本発明に係るＭ型ゼムクリップによれば、狭持物を上面狭持部と背面狭持部と起伏傾斜部で構成される折り返し部で安定的に挟持される構造であるため、Ｍ型ゼムクリップ自体が狭持した状態で回転したり、紙ズレ現象が起こらないと共に、上面狭持部と背面狭持部と起伏傾斜部で形成する三つの狭持部で交互に狭持するため狭持力の安定性と持続性が図れる優れた効果を奏する。
【００２４】
また本発明に係るＭ型ゼムクリップによれば、上面狭持部と背面狭持部と起伏傾斜部が同一平面上になるため、少量枚数の狭持物であっても安定的に挟持することができる優れた効果を奏する。
【００２５】
また本発明に係るＭ型ゼムクリップによれば、起伏傾斜部が挟持する狭持物の厚みに合わせて立体的に起伏して狭持するため、大量枚数の狭持物であっても安定的に挟持することができる優れた効果を奏する。
【００２６】
また本発明に係るＭ型ゼムクリップによれば、金属線材の末端部が内側に位置して成型されているため、保管時のＭ型ゼムクリップ同士の絡まりを防止することができる優れた効果を奏する。
【００２７】
また本発明に係るＭ型ゼムクリップによれば、両側に配置され背面狭持部を指で摘んで狭持する狭持物の厚みに合わせて差し込んだり、狭持物の端部に背面狭持部を引っ掛けて上面狭持部の先端部を差し込むことができる優れた効果を奏する。
【００２８】
本発明に係るＭ型ゼムクリップによれば、挟持する狭持物の角面の端面を略Ｖ字状に斜行する起伏傾斜部の内側で狭持することにより紙ズレ現象を起こすことなく安定的に綴じ込むことができると共に、全体形状を幅広にすることによって、より安定的に狭持することができるも優れた効果を奏する。
【００２９】
また本発明に係るＭ型ゼムクリップによれば、上面狭持部の外郭形状をハート形やキャラクターの輪郭を模った自由形状とすることで、ノートや書籍の栞としてや、カラー樹脂コーティングを施して低年齢の子供を対象とする遊び心を持った文房具としても利用することができる優れた効果を奏する。
【図面の簡単な説明】
【００３０】
【図１】本発明に係るＭ型ゼムクリップを示す説明図である。（実施例１）
【図２】本発明に係るＭ型ゼムクリップの使用状態を示す説明図である。
【図３】本発明に係るＭ型ゼムクリップの別の実施形態を示す説明図である。（実施例２）
【図４】本発明に係るＭ型ゼムクリップの使用状態を示す説明図である。
【図５】従来のゼムクリップの実施形態を示す説明図である。
【発明を実施するための形態】
【００３１】
本発明のＭ型ゼムクリップは、弾性を有する１本の金属線材で略Ｍ字型に折曲して形成されるＭ型ゼムクリップであって、前記Ｍ型ゼムクリップは、中央部に位置する上面狭持部と、該上面狭持部より折り返し部を外側に延設し、さらに内側方向に終端部を設けて両側に位置する背面狭持部と、を略Ｖ字状に斜行する起伏傾斜部で連結すると共に、折曲して平面を形成する前記上面狭持部と前記背面狭持部と前記起伏傾斜部と、を同一平面上に形成して成り、使用するにあたっては、前記起伏傾斜部が狭持される狭持物の厚みに合わせて立体的に起伏して狭持する構成を採用したことを最大の特徴とするものである。以下、本発明を実施するための実施形態を図面を基に説明する。
【００３２】
本発明のＭ型ゼムクリップにおける上面狭持部と背面狭持部と起伏傾斜部の形状は、下記に述べる実施例に特に限定されるものではなく、本発明の技術的思想に逸脱しない範囲内で任意に変更することができる。
【実施例１】
【００３３】
図１は、本発明に係るＭ型ゼムクリップを示す説明図である。
図１（a）はＭ型ゼムクリップ１の平面図を示し、図１（b）は側面図を示し、図１（c）は全体斜視図を示す。本発明におけるＭ型ゼムクリップ１は、弾性を有する１本の金属線材で略Ｍ字型に折曲して形成されるＭ型ゼムクリップ１であって、該Ｍ型ゼムクリップ１は、中央部に位置する上面狭持部１０と、該上面狭持部１０より折り返し部２１，３１を外側に延設し、さらに内側方向に終端部４２を設けて両側に位置する背面狭持部２０と、を略Ｖ字状に斜行する起伏傾斜部３０で連結すると共に、折曲して平面を形成する上面狭持部１０と背面狭持部２０と前記起伏傾斜部３０と、を同一平面上に形成して成り、使用するにあたっては、起伏傾斜部３０が狭持される狭持物Ｐの厚みＴに合わせて立体的に起伏して、上面狭持部１０と背面狭持部２０と起伏傾斜部３０の三面で狭持物Ｐの裏表面を狭持すると共に、起伏傾斜部３０を狭持物Ｐの端部に突き当てて二点支持することで、簡易的に狭持される狭持物Ｐが安定的に保持されて形成される。
【００３４】
上面狭持部１０は、Ｍ型ゼムクリップ１の中央部に位置し、背面狭持部２０と略Ｖ字状に斜行する起伏傾斜部３０で連結され、折曲して平面を形成し、背面狭持部２０と起伏傾斜部３０と同一平面上に形成されるものである。
【００３５】
背面狭持部２０は、上面狭持部１０より折り返し部２１，３１を外側に延設し、さらに内側方向に終端部４２を設けてＭ型ゼムクリップ１の両側に位置し、上面狭持部１０と略Ｖ字状に斜行する起伏傾斜部３０で連結され、折曲して平面を形成し、上面狭持部１０と起伏傾斜部３０と同一平面上に形成されるものである。
【００３６】
起伏傾斜部３０は、上面狭持部１０と背面狭持部２０を略Ｖ字状に斜行して同一平面上に連結するもので、使用するにあたっては、起伏傾斜部３０が狭持される狭持物Ｐの厚みＴに合わせて立体的に起伏し、上面狭持部１０と背面狭持部２０と起伏傾斜部３０の三面で狭持物Ｐの裏表面を狭持すると共に、起伏傾斜部３０を狭持物Ｐの端部に突き当てて二点支持することで、簡易的に狭持される狭持物Ｐが安定的に保持されて形成される。
【００３７】
金属線材４０は、弾性を有する１本の金属性の線材４０で略Ｍ字型に折曲して形成され、線径0.8〜1.3ｍｍ前後の金属性の線材が使用される。
【００３８】
狭持物Ｐは、主に紙葉または書類を使用する場合を対象としているが、シート材、布地、金属製薄板、合成樹脂板材などの薄板材全般を含むものである。
【００３９】
図１（ｄ）はＭ型ゼムクリップ１の狭持物Ｐの枚数が少い時の使用状態図を示す。
上面狭持部１０と背面狭持部２０と起伏傾斜部３０が同一平面上に形成されることによって、上面狭持部１０と背面狭持部２０と起伏傾斜部３０の三面で狭持物Ｐの綴じ代の裏表面を狭持すると共に、起伏傾斜部３０が狭持物Ｐの綴じ代の端部（狭持物の厚みＴ）に突き当てられ、数枚の少ない薄い状態に合わせて立体的に起伏することで狭持物Ｐが安定的に保持されるものである。
【００４０】
図１（e）はＭ型ゼムクリップ１の狭持物Ｐの枚数が多い時の使用状態図を示す。
上面狭持部１０と背面狭持部２０と起伏傾斜部３０が同一平面上に形成されることによって、上面狭持部１０と背面狭持部２０と起伏傾斜部３０の三面で狭持物Ｐの綴じ代の裏表面を狭持すると共に、起伏傾斜部３０が狭持物Ｐの綴じ代の端部（狭持物の厚みＴ）に突き当てられ、数枚の多い厚い状態に合わせて立体的に起伏することで支持するもので、簡易的に狭持される狭持物Ｐが安定的に保持されるものである。
【実施例２】
【００４１】
図２は、本発明に係るＭ型ゼムクリップの使用状態を示す説明図である。
図２（a）〜（ｃ）は、Ｍ型ゼムクリップ１の狭持物Ｐの枚数に合わせて立体的に起伏する状態を示す斜視図と側面図を示す。
図２（a）は、狭持物Ｐの数枚の少ない場合の状態説明図で、狭持物Ｐの数枚の少ない薄い状態では、上面狭持部１０と背面狭持部２０と起伏傾斜部３０が同一平面上に位置するもので、数枚の少ない薄い状態であってもその薄い状態の狭持物の厚みＴに合わせて起伏傾斜部３０が立体的に起伏することで簡易的に狭持される狭持物Ｐが安定的に保持されるものである。
【００４２】
図２（ｂ）は、狭持物Ｐの枚数が中くらいの場合の状態説明図で、狭持物Ｐの数枚の少ない薄い状態では、上面狭持部１０と背面狭持部２０と起伏傾斜部３０が同一平面上に位置し、起伏傾斜部３０が立体的に起伏して形成されるもので、数枚が中くらいの状態であってもその中くらいの状態の狭持物の厚みＴに合わせて起伏傾斜部３０が立体的に起伏することで簡易的に狭持される狭持物Ｐが安定的に保持されるものである。
【００４３】
図２（ｃ）は、狭持物Ｐの枚数が多い厚い場合の状態説明図で、狭持物Ｐの数枚の多い厚い状態では、上面狭持部１０と背面狭持部２０と起伏傾斜部３０が同一平面上に位置し、起伏傾斜部３０が立体的に起伏して形成されるもので、数枚が厚い状態であってもその厚い状態の狭持物の厚みＴに合わせて起伏傾斜部３０が立体的に起伏することで簡易的に狭持される狭持物Ｐが安定的に保持されるものである。
【実施例３】
【００４４】
図３は、本発明に係るＭ型ゼムクリップの別の実施形態を示す説明図である。
図３（a）は、Ｍ型ゼムクリップ１の上面狭持部１０が長楕円形状を示すＭ型ゼムクリップ１である。上面狭持部１０の外郭形状を長楕円形状を始めとして色々な形状に形成することができるもので、ユーザーの年齢層、職業、性別、使用目的など多彩な形状に設定することができる。
【００４５】
図３（b）は、Ｍ型ゼムクリップ１の上面狭持部１０を、ハート形の形状にしたＭ型ゼムクリップ１である。上面狭持部１０の外郭形状をハート形やキャラクターの輪郭を模った自由形状とすることで、ノートや書籍の栞としてや、カラー樹脂コーティングを施して低年齢の子供を対象とした遊び心を持った文房具グッズとしても利用することができる。
【００４６】
図４は、本発明に係るＭ型ゼムクリップの使用状態を示す説明図である。
図４（a）〜図４（c）は、本発明に係るＭ型ゼムクリップ１を綴じ込み面に設けた場合の使用状態を示す。本発明に係るＭ型ゼムクリップ１が、一般的に使用される状態を示すものである。従来のホッチキスの金属針による綴じ方と比較して、ホッチキスならびに金属針を使用しない、金属針の穴が空かない、使用後はそのままシュレッターにかけられる、狭持力が強い、取り付け取り外しが容易である、印刷された文字に掛からない、使い回しができる、狭持物Ｐの着脱が道具を使用することなくいつでもどこでもできるなどの多くの利点を有するものである。
【００４７】
図４（ｄ）は、本発明に係るＭ型ゼムクリップを狭持物Ｐの角面に設けた場合の使用状態を示すものである。本発明に係るＭ型ゼムクリップ１が、会議などに使用される一時的な状態を示すものである。挟持する狭持物Ｐの角面の端面を略Ｖ字状に斜行する起伏傾斜部３０の内側の二点で狭持することにより紙ズレ現象を起こすことなく綴じ込むことができるものである。また、全体形状を幅広にすることによって、より安定的に狭持することができるものである。
【００４８】
図５は、従来のゼムクリップを示す説明図である。
図５（a）は従来のゼムクリップ１００の使用中における回転状態を示す。
従来のゼムクリップ１００を使用する場合、狭持物Ｐの紙端とゼムクリップ上方の折り返しの頂点部Ｆの内側を支点として図に示すように回転してしまうため、狭持物Ｐをしっかりと綴じ込むことができないものである。
【００４９】
図５（b）は従来のゼムクリップ１００の使用中における変形状態を示す。
枚数の多い厚手の狭持物Ｐを従来のゼムクリップ１００で綴じ込もうとすると、4本の針金で狭持される構造であるため、クリップが変形して狭持物Ｐをしっかりと綴じ込むことができないものである。
【産業上の利用可能性】
【００５０】
本発明のＭ型ゼムクリップは、簡易的に挟み込まれる紙葉または書類の嵩張りや紙ズレ現象を防止するゼムクリップを実施例として説明しているが、その他の利用方法としては、シート材、布地、金属製薄板、樹脂板材などの薄板材全般を挟持するクランプ用具としても広く利用することができるもので、本発明のＭ型ゼムクリップの産業上の利用可能性は大とするものと解する。
【符号の説明】
【００５１】
１      Ｍ型ゼムクリップ
１０    上面狭持部
１１    折り返し部
２０    背面狭持部
２１    折り返し部
３０    起伏傾斜部
３１    折り返し部
４０    金属線材
４１    終端部
１００  従来のゼムクリップ
Ｐ      狭持物
Ｆ      頂点部
Ｔ      狭持物の厚み
【図１】
2011152805.tif 000003
【図２】
2011152805.tif 000004
【図３】
2011152805.tif 000005
【図４】
2011152805.tif 000006
【図５】
2011152805.tif 000007